(57)【要約】【課題】銀行等に企業や自治体等から持込まれる給与振込等の帳票をイメージ入力装置から読込み、読込まれたイメージデータのイメージ切出しや文字認識するための帳票定義データを作成するのに時間がかかる。【解決手段】図４、図６に示される同じ様式の行の繰返しで構成されている帳票において（列の場合もある）、行４１、６１を基準行に指定し、基準行の切出認識範囲や文字認識方法等の帳票定義データ（図３の３２、３３）を作成する。そして図５に示すように基準行４１を含む基準行の繰返しの範囲全体５１を指定し、更に繰返し行数５２を指定する。基準行４１の繰返し範囲全体５１を繰返し行数５２で等分割し、この指定範囲に合わせて基準行４１の帳票定義データ項目のコピーを実施する。【選択図】  図２
2004227131.tif 000002
【特許請求の範囲】
【請求項１】
未知の帳票類を光学的に読取りイメージデータ化するイメージデータ入力装置と、該イメージデータ入力装置より受領したイメージデータから作成された認識範囲を帳票定義データとして保持する制御装置とを有し、前記制御装置は前記イメージデータから前記帳票類の基準行と前記認識範囲内の該基準行の繰返し行数を検出し、該認識範囲を該基準行の繰返し行数で等分割し、該等分割した各行に前記基準行のデータ項目をコピーすることを特徴とするイメージ処理装置。
【請求項２】
未知の帳票類を光学的に読取りイメージデータ化するイメージデータ入力装置と、該イメージデータ入力装置より受領したイメージデータから作成された認識範囲と認識方法を帳票定義データとして保持する制御装置とを有し、該制御装置は前記帳票定義データを用いて未知の帳票類の認識を行い認識結果を上位装置に送信することを特徴とするイメージ処理システム。
【請求項３】
未知の帳票類を光学的に読取りイメージデータ化するイメージデータ入力装置と、該イメージデータ入力装置より受領したイメージデータから作成された最良読取濃度を帳票定義データとして保持する制御装置とを有し、未知の帳票類の読取時、前記制御装置は前記最良読取濃度を用いて読取りイメージデータを最適化し、イメージ切出し及び認識処理を行うことを特徴とするイメージ処理しシステム。
【請求項４】
未知の帳票類を光学的に読取りイメージデータ化するイメージデータ入力装置と、該イメージデータ入力装置より受領したイメージデータから作成された認識範囲と認識方法と最良読取濃度とを帳票定義データとして保持する制御装置とを有し、未知の帳票類の読取時、前記制御装置は前記帳票定義データの最良読取濃度を用いてイメージデータを最適化し、認識範囲と認識方法を用いて認識を行い認識結果を上位装置に送信することを特徴とするイメージ処理システム。
【請求項５】
未知の帳票類を光学的に読取りイメージデータ化するイメージデータ入力装置と、該イメージデータ入力装置より受領したイメージデータから作成された認識範囲と認識方法とキー情報とを帳票定義データとして保持する制御装置とを有し、帳票の読取時、前記制御装置は入力されたキー情報から前記帳票定義データの認識範囲と認識方法を読出してイメージデータの切出し及び認識を行うことを特徴とするイメージ処理システム。
【請求項６】
前記キー情報は帳票名と企業コードであることを特徴とする請求項５記載のイメージ処理システム。
【請求項７】
前記制御装置はイメージデータから抽出した罫線情報を用いて、前記認識範囲内の列全体の補正を行うことを特徴とする請求項１乃至６のいずれか１項に記載のイメージ処理システム。
【発明の詳細な説明】
【０００１】
【発明の属する技術分野】
本発明は為替処理システムなどに使用されるイメージ処理システムに係り、特にイメージスキャナやＯＣＲ等のイメージデータ入力装置によって読込まれた帳票イメージを利用して、帳票イメージの指定されたエリアを切出し、文字認識するイメージ処理システムに関する。
【０００２】
【従来の技術】
銀行等に企業や自治体等から持込まれる給与振込用紙等の為替帳票（非制定帳票）は数百〜数千種類もあるが、銀行等が指定する帳票（制定帳票）ではないため、これらの帳票をイメージ処理するためには、新しい種類の帳票が持込まれればその都度、その帳票の帳票定義データを作成する必要がある。従来、これら為替帳票などをイメージデータ化しイメージ切出しや文字認識を行う場合、特許文献１に開示されているように、イメージ切出項目やイメージ認識項目の１つ１つの範囲を指定して、その指定された範囲の切出方法や認識方法の定義をしたり、切出しや認識範囲を指定するために、帳票イメージデータの罫線認識を利用したりといった方法が取られていた。
【０００３】
【特許文献１】
特開２０００−３３９４０５号公報（第３−４頁、図１、図３）
【０００４】
【発明が解決しようとする課題】
上記従来技術における帳票定義データの作成は、例えば図３のような給与振込帳票の場合、各々の項目毎にイメージ切出範囲や文字認識方法を定義（３２、３３）するか、読込まれたイメージデータ３１の罫線情報を基にイメージ切出範囲を特定し、特定された範囲の各項目やその列全体の項目にイメージ切出範囲や文字認識の処理方法を定義（３２、３３）していた。しかし、各項目毎にイメージ切出範囲や文字認識の処理方法を定義する方法では帳票定義データの作成に非常に時間がかかり、また、イメージデータの罫線情報を基に各項目を範囲指定する方法は、各行が同じ項目の繰返しで構成されていない帳票の場合には列全体のコピーができないなどの難点があり、帳票定義データの作成に非常に時間がかかるという課題があった。
【０００５】
このように個々に切出範囲（項目）及び認識範囲を指定して定義する方法では指定項目が多く時間がかかってしまい、また罫線認識で切出しや認識範囲の指定を行う場合、イメージデータの情報に大きく影響を受けてしまい、余分な罫線情報や斜線の補正などといった修正に時間がかかるという課題があった。
【０００６】
また企業や自治体から持込まれる給与振込用紙などの持込み帳票は、帳票のプレ印刷や印字情報等の濃度にバラツキがある。このように濃度にバラツキがある帳票のイメージ切出範囲や認識範囲を表示したり、認識する場合には、表示されたイメージが見にくかったり、認識率を低下させる可能性があるという課題があった。
【０００７】
さらに、為替処理工程でイメージ入力装置から帳票のイメージデータが読込まれた時に、帳票定義データの定義工程で定義された数百〜数千種類ある帳票定義データ情報の中から、読込まれたイメージデータに対応する帳票定義データを選択する手段が必要となる。
【０００８】
本発明の目的は、イメージデータからのイメージ切出しや文字認識のための帳票定義項目として、帳票の行毎や帳票の列毎に同じ定義項目が繰返される帳票の帳票定義データを正確にかつ短時間に作成することができるイメージ処理システムを提供することである。
【０００９】
【課題を解決するための手段】
上記目的を達成するために、本発明のイメージ処理システムにおいては、未知の帳票類を光学的に読取りイメージデータ化するイメージデータ入力装置と、該イメージデータ入力装置より受領したイメージデータから作成された認識範囲を帳票定義データとして保持する制御装置とを有し、前記制御装置は前記イメージデータから前記帳票類の基準行と前記認識範囲内の該基準行の繰返し行数を検出し、該認識範囲を該基準行の繰返し行数で等分割し、該等分割した各行に前記基準行のデータ項目をコピーする。
【００１０】
上記目的を達成するために、本発明のイメージ処理システムにおいては、未知の帳票類を光学的に読取りイメージデータ化するイメージデータ入力装置と、該イメージデータ入力装置より受領したイメージデータから作成された認識範囲と認識方法を帳票定義データとして保持する制御装置とを有し、該制御装置は前記帳票定義データを用いて未知の帳票類の認識を行い認識結果を上位装置に送信する。
【００１１】
上記目的を達成するために、本発明のイメージ処理システムにおいては、未知の帳票類を光学的に読取りイメージデータ化するイメージデータ入力装置と、該イメージデータ入力装置より受領したイメージデータから作成された最良読取濃度を帳票定義データとして保持する制御装置とを有し、未知の帳票類の読取時、前記制御装置は前記最良読取濃度を用いて読取りイメージデータを最適化し、イメージ切出し及び認識処理を行う。
【００１２】
上記目的を達成するために、本発明のイメージ処理システムにおいては、未知の帳票類を光学的に読取りイメージデータ化するイメージデータ入力装置と、該イメージデータ入力装置より受領したイメージデータから作成された認識範囲と認識方法と最良読取濃度とを帳票定義データとして保持する制御装置とを有し、未知の帳票類の読取時、前記制御装置は前記帳票定義データの最良読取濃度を用いてイメージデータを最適化し、認識範囲と認識方法を用いて認識を行い認識結果を上位装置に送信する。
【００１３】
上記目的を達成するために、本発明のイメージ処理システムにおいては、未知の帳票類を光学的に読取りイメージデータ化するイメージデータ入力装置と、該イメージデータ入力装置より受領したイメージデータから作成された認識範囲と認識方法とキー情報とを帳票定義データとして保持する制御装置とを有し、帳票の読取時、前記制御装置は入力されたキー情報から前記帳票定義データの認識範囲と認識方法を読出してイメージデータの切出し及び認識を行うことを特徴とするイメージ処理システム。
【００１４】
前記キー情報は帳票名と企業コードで構成される。
【００１５】
前記制御装置はイメージデータから抽出した罫線情報を用いて、前記認識範囲内の列全体の補正を行う。
【００１６】
【発明の実施の形態】
以下、本発明の一実施例を、図面により詳細に説明する。図１は銀行等の金融機関において、企業や自治体等から持ち込まれる給与振込用紙が持込まれた場合に、イメージ切出しや文字認識等を利用して正しい為替処理データを作成し、ホスト送信を行うことを目的としてイメージ処理を利用した為替システムの外観図である。図２は前述の為替システムのブロック構成図である。図３は企業や自治体から持込まれる給与振込用紙などの為替帳票例。図４、図５、図６は図１および図２の為替システムで使用するイメージ切出しや文字認識するための帳票定義データ情報の定義を短時間に正確に行うための処理方法を説明するための帳票例である。図７は帳票データ定義された帳票を一意に定めるキー情報を含む帳票定義データの一覧表である。
【００１７】
為替システムの処理工程は、帳票類をイメージデータ化し、このイメージデータをイメージ切出したり文字認識したりする情報を作成する帳票定義データ作成工程と、帳票定義データ作成工程で作成した帳票定義データを用いて実際に読取った帳票類のイメージデータのイメージ切出処理や文字認識処理などのイメージ処理を行う為替処理工程と、イメージ処理結果をホストへ送信する電文を作成し、ホスト送信する工程とからなる。
【００１８】
図１及び図２を参照するに、帳票定義データ作成工程では、まず企業や自治体から持込まれる給与振込用紙等で未定義な帳票１１を、イメージ入力装置１２の制御部１２１の制御の基にスキャナ部１２２によりイメージデータ化し、ＲＡＭ１２３に格納する。制御部１２１はＲＡＭ１２３に格納されたイメージデータを通信回線を介して制御装置１３の制御部１３１に送信し、イメージデータはイメージデータ記憶部１３２に格納される。
【００１９】
その後、制御部１３１はイメージデータ記憶部１３２に格納されている図３に示されるような帳票イメージデータ３１を表示部１３３に表示する。作業者は表示されたイメージデータ３１を基にキーボード１４やマウス１５を使用して、イメージデータ３１のイメージ切出範囲や文字（漢字、全角カナ、半角カナ、数字、ひらがな等）認識範囲や認識処理方法などの指定（３２、３３）を指定範囲毎に詳細に行い、これらの情報は帳票定義データとして制御装置１３内の帳票定義データ記憶部１３４に格納される。
【００２０】
為替処理工程では帳票１１をイメージデータ入力装置１２のスキャナ部１２２でイメージデータ化し、制御装置１３の制御部１３１は帳票定義データ記憶部１３４に格納されている帳票定義データを基に前記帳票のイメージ切出しや、認識部１３５により文字認識を行い、認識結果をホスト１６に送信する。
【００２１】
ここで帳票定義データの作成方法について詳細に説明する。まず図４や図６に示される帳票のように、同じ様式の行の繰返しで作成されている帳票において（列の場合もある）、行４１、６１を基準行に指定し、基準行の切出認識範囲や文字認識方法等の帳票定義データ（図３の３２、３３）を作成する。
【００２２】
そして図５に示すように基準行４１を含む基準行の繰返しの範囲全体５１を指定し、更に繰返し行数５２を指定する。基準行４１の繰返し範囲全体５１を繰返し行数５２で等分割し、この指定範囲に合わせて基準行４１の帳票定義データ項目のコピーを実施する。繰返し範囲５１を繰返し行数で等分しているので、基準行の単純なコピーに較べ累積誤差は生じない。
【００２３】
基準行４１の繰返し範囲５１全体に基準行４１のコピーをした時点でイメージ認識時の罫線情報を利用して列定義全体の補正も合わせて実施する。この後、必要であれば行列情報の補正を簡単に実施し、基準行４１の繰返し範囲５１全体の帳票定義データを作成することにより、短時間で正確な帳票定義データを作成することができる。作成された帳票定義データは帳票定義データ記憶部１３４に格納される。
【００２４】
帳票のプレ印刷や印字情報などの濃度のバラツキが原因で起こるイメージ切出し表示の見にくさや文字認識率の低下を防止するために、イメージデータが例えばグレースケールで読まれている場合には、帳票定義データとして帳票の最良読取濃度を定義する。そして為替処理工程において、この帳票定義データを基に読取られるイメージデータを最適化し、各々の帳票の最適な濃度のイメージデータを使用して、イメージ切出し、文字認識処理を行う。これにより、最適なイメージデータでのイメージ切出処理や文字認識処理を可能にする。
【００２５】
次に帳票定義データ記憶部１３４に格納されている数百〜数千種類ある帳票の帳票定義データの選択方法について説明する。帳票定義データ作成工程で帳票を定義する際に、図７に示されるように、定義帳票名、企業コードおよび企業コード付属番号等を、イメージ切出範囲や文字認識方法などの帳票定義データの付加情報として定義する。また例えば、前述の企業コードおよび企業コードから帳票定義データが一意に定まる一覧表を出力できるようにし、紙等に一覧表を出力しておく。為替処理工程ではイメージ入力装置１２で読込まれるイメージデータ情報に対して、前述の定義情報一覧表（図７）から企業コードと企業コード付属番号等のように帳票定義データが一意に定まる情報を入力し、読込まれたイメージデータに対する適切なイメージ切出しや文字認識などの処理を可能にする。
【００２６】
以上の説明のとおり本発明の一実施例によれば、銀行等に企業や自治体等から持込まれる給与振込用紙等の為替帳票をイメージ処理するシステムにおいて、特にイメージ切出しや文字認識するための帳票定義項目として帳票の行毎や帳票の列毎に同じ定義項目が繰返される帳票の帳票定義データを正確にかつ短時間に定義することが可能となる。
【００２７】
また、印刷もしくは印字濃度にバラツキのある帳票のイメージ処理をする場合に、最適なイメージデータでのイメージ切出処理や文字認識処理を可能にする。
【００２８】
さらに、イメージ入力装置によって読込まれた帳票のイメージデータと、その帳票用に定義された帳票定義データを対応させる手段を提供することにより、作業者の負担を軽減することができる。
【００２９】
【発明の効果】
本発明によれば、イメージデータからのイメージ切出しや文字認識のための帳票定義項目として、帳票の行毎や帳票の列毎に同じ定義項目が繰返される帳票の帳票定義データを正確にかつ短時間に作成することができるイメージ処理システムを提供することができる。
【図面の簡単な説明】
【図１】本発明の一実施例によるイメージ処理システムを利用した為替システムの全体構成図である。
【図２】図１の為替システムのブロック構成図である。
【図３】本発明の一実施例で使用される為替帳票の様式を示す図である。
【図４】本発明の一実施例で使用される為替帳票の様式を示す図である。
【図５】本発明の一実施例で使用される為替帳票の様式を示す図である。
【図６】本発明の一実施例で使用される為替帳票の様式を示す図である。
【図７】本発明の一実施例で使用される帳票定義データの一覧表を示す図である。
【符号の説明】
１１：為替帳票                            １２：イメージデータ入力装置
１３：制御装置                            １４：キーボード
１５：マウス                              １６：ホスト
３１：帳票イメージデータ例                ３２：帳票定義データ項目例１
３３：帳票定義データ項目例２              ４１：帳票の基準行パターン１
５１：帳票の基準行の繰返し全体範囲        ５２：帳票の基準行の繰返し行数
６１：帳票の基準行パターン２
１２２：スキャナ部                        １３１：制御部
１３２：イメージデータ記憶部              １３３：表示部
１３４：帳票定義データ記憶部              １３５：認識部
【図１】
2004227131.tif 000003
【図２】
2004227131.tif 000004
【図３】
2004227131.tif 000005
【図４】
2004227131.tif 000006
【図５】
2004227131.tif 000007
【図６】
2004227131.tif 000008
【図７】
2004227131.tif 000009